(57)【要約】【課題】釣り糸の切断を容易且つ正確に行うことができ、切断箇所も綺麗で、取り扱いも容易な釣り糸熱溶融切断具を提供する。【解決手段】発熱体２８が設けられたヒータ部２０と、耐熱性を有し揺動操作可能に設けられたヒータ部２０に当接する押圧材３２を備えた押し当て部２４を有する。本体１２には、ヒータ２２の発熱体２８に給電する電池３５を格納する電池収納部３４を備え、本体１２内に押し当て部２４の揺動に連動して閉じるスイッチ３７を内蔵する。ヒータ部２０へ押し当て部２４を揺動させることにより、発熱体２８に通電して釣り糸３８を溶融し切断する。【選択図】図１
2008136433.tif 000002
【特許請求の範囲】
【請求項１】
発熱体が設けられたヒータ部と、耐熱性を有し揺動操作可能に設けられた前記ヒータ部と当接する押圧材を備えた押し当て部を有し、前記ヒータ部と前記押し当て部との間に釣り糸を挟持し、前記ヒータ部へ前記押し当て部を押し付けて前記釣り糸を切断することを特徴とする釣り糸熱溶融切断具。
【請求項２】
前記ヒータは、耐熱性絶縁体に線状発熱体が設けられ、前記ヒータが本体に固定されてヒータ部を形成し、前記ヒータ部と対向して耐熱性材料から成る押圧材が固定され前記ヒータ部に対して離接可能に揺動自在に設けられた押し当て部と、前記ヒータに給電する電池を格納可能に電池収納部が前記本体に設けられ、前記本体内に前記押し当て部の揺動に連動して閉じるスイッチを内蔵し、前記ヒータ部へ前記押し当て部を揺動させることにより前記ヒータに通電して、このヒータに接した釣り糸を溶融させ、切断可能に形成されたことを特徴とする請求項１記載の釣り糸熱溶融切断具。
【請求項３】
前記押し当て部は、揺動可能に一端部が前記本体に軸支されたことを特徴とする請求項１または２記載の釣り糸熱溶融切断具。
【請求項４】
前記ヒータ部は、前記本体に取り替え可能に取り付けられたことを特徴とする請求項１、２または３記載の釣り糸熱溶融切断具。
【発明の詳細な説明】
【技術分野】
【０００１】
この発明は、釣り糸を熱により溶融して切断する釣り糸熱溶融切断具に関する。
【背景技術】
【０００２】
従来、釣り糸の切断には、一般に、ハサミなどが使用されている。また、ライタやタバコなどの火により、切断したい箇所を炙り、溶断する方法も知られている。
【０００３】
そのほか特許文献１には、釣り糸を切断可能に、握持部の端部に嵌装された糸切り用カッター刃を備えた釣り糸の結び具が開示されている。
【特許文献１】特開平５−１０３５７０号公報
【発明の開示】
【発明が解決しようとする課題】
【０００４】
上記従来の技術では、釣り糸をハサミなどにより切断すると、切断された釣り糸が一本糸の場合、結び目が抜けたり、ナイロン系の編み込まれたより糸の場合では、よりが解けたりする問題があった。また、ライタやタバコの火により切断箇所を炙って溶断する方法では、切断箇所をきれいに仕上げることは難しく、切断された端部が溶けて固まりを形成したりする上、風の影響で火が消えたりするため、切断が容易でなかった。
【０００５】
そのほか、特許文献１では、握持部の端部に嵌装された糸切り用カッター刃に釣り糸の切断箇所を強く押し当てて切断する。そのため、切断された釣り糸の端部は、ハサミで切断された場合と同様の問題点があった。また、糸切り用カッター刃に釣り糸を押し当てた際に、切断箇所がずれたりする可能性もあった。
【０００６】
この発明は、上記従来技術の問題に鑑みて成されたもので、釣り糸の切断を容易且つ正確に行うことができ、切断箇所も綺麗で、取り扱いも容易な釣り糸熱溶融切断具を提供することを目的とする。
【課題を解決するための手段】
【０００７】
この発明は、発熱体が設けられたヒータ部と、耐熱性を有し揺動操作可能に設けられた前記ヒータ部と当接する押圧材を備えた押し当て部を有し、前記ヒータ部と前記押し当て部との間に釣り糸を挟持し、前記ヒータ部へ前記押し当て部を押し付けて前記釣り糸を切断する釣り糸熱溶融切断具である。
【０００８】
前記ヒータは、耐熱性絶縁体に線状発熱体が巻かれ又は取り付けられ、前記ヒータが本体に固定されてヒータ部を形成し、前記ヒータ部と対向して耐熱性材料から成る押圧材が固定され前記ヒータ部に対して離接可能に揺動自在に設けられた押し当て部と、前記ヒータに給電する電池を格納可能に電池収納部が前記本体に設けられ、前記本体内に前記押し当て部の揺動に連動して閉じるスイッチを内蔵し、前記ヒータ部へ前記押し当て部を揺動させることにより前記ヒータに通電して、このヒータに接した釣り糸を溶融させ、切断可能に形成されたものである。
【０００９】
前記押し当て部は、揺動可能に一端部が前記本体に軸支されている。また、前記ヒータ部は、前記本体に取り替え可能に取り付けられている。
【発明の効果】
【００１０】
この発明の釣り糸熱溶融切断具によれば、ヒータ部へ押し当て部により釣り糸が押し付けられると、発熱体の熱により釣り糸が溶融し、簡単に切断できるものである。また、切断箇所は、溶融されるため、より糸でも断面が溶融されて一体に形成され、解れたりしないものである。
【発明を実施するための最良の形態】
【００１１】
以下、この発明の釣り糸熱溶融切断具の一実施形態について、図１〜図３を基にして説明する。この実施形態の釣り糸熱溶融切断具１０は、図１（ａ）に示すように、長方形の箱形に本体１２が形成され、本体１２の長手方向の一側面には、ヒンジ１４が設けられている。このヒンジ１４により一端部が連結され、図１（ｂ）に示すように、開閉自在に蓋部１６が形成されている。また、ヒンジ１４には、紐などを結んで本体を吊り下げ可能な吊り金具１８が装着されている。
【００１２】
本体１２の蓋部１６により覆われる部分には、蓋部１６のヒンジ１４側に矩形の板状に形成されたヒータ部２０が本体１２に固定されている。ヒータ部２０は、図示しない留め具により本体１２に対して交換可能に立設されている。蓋部１６の開口側に位置するヒータ部２０の端辺上方には、ヒータ２２が一体に設けられている。ヒータ２２は、図２（ａ）（ｂ）、図３に示すように、断面がくさび形に形成された略三角柱のセラミックスなどから成る耐熱性絶縁体２６に、ニクロム線または、タングステン線などから成る発熱体２８が巻回されて形成されている。発熱体２８は、例えば太さ０．２ｍｍのニクロム線の場合、０．５ｍｍのピッチで、８回程度、一重に巻回すると良い。そして、発熱体２８の両端は、本体１２に設けられた、中空パイプ状の取付用電極３０に各々差し込まれ、取付用電極３０の端部をカシメて接続され、通電可能に形成されている。
【００１３】
本体１２のヒータ部２０と一端辺が当接可能な対面位置には、板状の押し当て部２４が設けられている。押し当て部２４は、本体１２内にて揺動自在に軸支され、ヒータ部２０から離れる方向へ図示しない弾性部材により付勢されている。また、耐熱性絶縁体２６は、鋭角側が押し当て部２４と当接する方向に向けて取り付けられている。この押し当て部２４には、ヒータ部２０に押し当てられた際に、ヒータ２２と接触する端部に、薄いステンレスなどの金属板から成る押圧材３２が、押し当て部２４に一体に埋設されている。押圧材３２は、一端縁部が露出して押し当て部２４に埋設されている。
【００１４】
本体１２の内部には、図２に示すような回路が内蔵され、例えば、単４電池２本を直列に接続された電源３５を収容可能な電池収容部３４が形成されている。押し当て部２４の本体１２内に位置する図示しない端部近傍には、スイッチ３７が設けられ、押し当て部２４がヒータ部２０に当接した状態で、スイッチ３７が閉じて発熱体２８に通電可能に形成されている。
【００１５】
そして、蓋部１６と反対に位置する本体１２の端部の内側には、底キャップ３６が取り付けられている。底キャップ３６の嵌合部分には、例えば、Ｏリングなどが装着され、本体１２との隙間に対して防水構造となっている。また、スイッチ３７が設けられた部分にも、本体１２との間に、シール材などが設けられ、押し当て部２４の動きに連動する機構部との間が防水構造となっている。
【００１６】
次に、この実施形態の釣り糸熱溶融切断具１０の使用方法について説明する。図２（ａ）（ｂ）に示すように、ヒータ部２０と押し当て部２４の間に、釣り糸３８を押し当てて、釣り糸３８を、ヒータ部２０のヒータ２２と押し当て部２４の押圧材３２により狭持する。そして、押し当て部２４を閉じていくと、スイッチ３７が入り、ヒータ部２０の発熱体２８に通電される。すると、発熱体２８が発熱して、ヒータ２２に押し当てられた釣り糸３８は溶融し切断される。また、押し当て部２４をヒータ部２０に押し当てるのを止めると、ヒータ部２０から押し当て部２４が図示しない弾性部材により離れ、同時にスイッチが開いて、ヒータ２２の発熱体２８への通電が止まる。
【００１７】
この実施形態の釣り糸熱溶融切断具１０によれば、本体１２に固定されたヒータ部２０へ、押し当て部２４により釣り糸３８が押し当てられると、ヒータ２２の発熱体２８に通電され、釣り糸３８は熱により溶融し、容易に切断できるものである。また、切断箇所は、溶融されるため、ナイロン当の編み込まれた糸やより糸でも断面が溶融されて一体に形成され、解れたりしない。さらに、釣りの最中でも、釣り糸３８をヒータ部２０と押し当て部２４により狭持して押し付けるだけで切断させるため、風の影響を受け難く、簡単に切断できるものである。
【００１８】
また、ヒータ部２０は、取り外し可能に形成されているため、ヒータ２２の発熱体２８が切れたり損傷したりした際には、容易に取り替え可能であり、経済的である。さらに、スイッチ３７及び底キャップ３６の装着箇所に簡易防水加工を施してあるため、釣りの最中に水に濡れても、故障が起き難いものである。
【００１９】
なおこの発明の釣り糸熱溶融切断具は上記実施形態に限定されず、図４に示すように、矩形に形成された耐熱性絶縁体２６の長手方向一端の側面に、縁に沿って溝４０が設けられ、その溝４０に沿って発熱体２８である電熱線が嵌合されたヒータ２２でも良く、このヒータ２２をヒータ部２０に固定してもよい。この場合も、耐熱性絶縁体２６に嵌合された発熱体２８が、押し当て部２４の押圧材３２と当接可能に取り付ける。この実施形態によれば、押し当て部２４により、ヒータ部２０に押し当てられ溶融して切断された釣り糸３８の切断位置が、正確であり綺麗な切断面になる。
【００２０】
また、ヒータは、電熱線の代わりに、ライタの火により発熱させる発熱体とその発熱体の熱を受ける金属部や金属製の刃を設け、この刃と押圧材により釣り糸を挟持して溶断するものでもよい。この場合、電池の代わりに市販のガスライタを用いるため、経済的である。
【００２１】
なお、この発明の釣り糸熱溶融切断具は上記実施形態に限定されるものではなく、釣り糸をヒータ及び押圧材により狭持して溶融可能に形成されていればよいため、本体及びヒータ部、押し当て部の形状は適宜設定可能である。また、ヒータの耐熱性絶縁体及び発熱体の形状や素材は適宜選択可能である。
【図面の簡単な説明】
【００２２】
【図１】この発明の一実施形態の釣り糸熱溶融切断具を示す概略側面図（ａ）と、蓋を開けた状態を示す概略側面図（ｂ）である。
【図２】この発明の一実施形態の釣り糸熱溶融切断具のヒータ部と押し付け部を示す部分拡大概略図（ａ）と、（ａ）のＡ−Ａ概略断面図（ｂ）である。
【図３】この発明の一実施形態の釣り糸熱溶融切断具のヒータ部に取り付けられるヒータを示す概略斜視図である。
【図４】この発明の一実施形態の釣り糸熱溶融切断具のヒータ部に取り付けられるヒータの変形例を示す概略斜視図である。
【符号の説明】
【００２３】
１０  釣り糸熱溶融切断具
１２  本体
１６  蓋部
２０  ヒータ部
２２  ヒータ
２４  押し当て部
２６  耐熱性絶縁体
２８  発熱体
３２  押圧材
３４  電池収納部
３５  電源
３６  底キャップ
３７  スイッチ
３８  釣り糸
４０  溝
【図１】
2008136433.tif 000003
【図２】
2008136433.tif 000004
【図３】
2008136433.tif 000005
【図４】
2008136433.tif 000006